(57)【要約】【課題】きわめて多数の電源位置を簡単に発見できるようにすることである。【解決手段】発電所全体の発電ユニットの起動・停止等の運転操作や監視を行う中央制御室１と、電源等の動作状態を制御するように発電ユニットの設備３毎に設けられた複数のコントロールセンター２と、発電ユニットに配設された電源ユニットの機能部位の電源のオン・オフを行うスイッチが前記コントロールセンター２毎に設けられて前記中央制御室１に接続された分電盤４と、前記機能部位の名称を入力する機能部位名称入力手段８と、前記コントロールセンター２で管轄された前記機能部位を前記コントロールセンター２毎にバーチャル表示する電源ユニットの機能部位配置表示手段９と、前記機能部位名称入力手段８により入力された機能部位名称に基づいてその機能部位が属する前記コントロールセンター２を呼び出して前記分電盤４上で前記機能部位の位置を表示する機能部位位置表示手段７とよりなる。【選択図】図１
2007104854.tif 000002
【特許請求の範囲】
【請求項１】
発電所全体の発電ユニットの起動・停止等の運転操作や監視を行う中央制御室と、電源等の動作状態を制御するように発電ユニットの設備毎に設けられた複数のコントロールセンターと、発電ユニットに配設された電源ユニットの機能部位の電源のオン・オフを行うスイッチが前記コントロールセンター毎に設けられて前記中央制御室に接続された分電盤と、前記機能部位の名称を入力する機能部位名称入力手段と、前記コントロールセンターで管轄された前記機能部位を前記コントロールセンター毎にバーチャル表示する電源ユニットの機能部位配置表示手段と、前記機能部位名称入力手段により入力された機能部位名称に基づいてその機能部位が属する前記コントロールセンターを呼び出して前記分電盤上で前記機能部位の位置を表示する機能部位位置表示手段と、よりなることを特徴とする発電ユニットの電源位置発見システム。
【請求項２】
いずれかの電源ユニットの異常が発生した時にその電源ユニットを備えた機能部位の名称と異常状態とを中央制御室に伝達する異常伝達手段を備えたことを特徴とする請求項１記載の発電ユニットの電源位置発見システム。
【請求項３】
機能部位位置表示手段に表示された機能部位とこの機能部位が属するコントロールセンターとを分電盤操作者に伝達する伝達手段を設けたことを特徴とする請求項１又は２記載の発電ユニットの電源位置発見システム。
【発明の詳細な説明】
【技術分野】
【０００１】
本発明は、発電所における発電ユニットのきわめて多数の電源の位置を短時間に確認することができる発電ユニットの電源位置発見システムに関する。
【背景技術】
【０００２】
一般に、発電所においては、ボイラー、タービン・発電機、脱硝装置、電気集塵機、脱硫装置等の各種設備の運転状態や電源のオン・オフ等を検知し、かつ、必要な動作制御を行うために、各種装置毎にコントロールセンターが設けられており、これらのコントロールセンターは発電所の全体を総括制御する中央制御室に接続されている。そして、膨大な数の装置の組み合わせよりなる発電ユニットにおいて、各発電ユニットの機能部位の電源の障害や点検等の状態を検出し、かつ、異常があった場合には、その修復をしなければならず、また、定期的な点検作業においても電源のオン・オフ操作が必要なものであり、発電ユニットの電源位置を即座に知ることは、作業能率や迅速な修理等の要望に応えるために必要なことである。そのため、各コントロールセンターで司る電源の種類や位置を表示し、かつ、スイッチにより各機能部位の電源のオン・オフを行うことができるように分電盤を設けている。そして、このような分電盤は、それぞれのコントロールセンターに設けられているものである。これらの分電盤は、その大きさが縦２．５ｍ、横５ｍもある。
【発明の開示】
【発明が解決しようとする課題】
【０００３】
発電所における発電ユニットの各機能部位はきわめて多数であり、それらの機能部位の電源のオン・オフをコントロールセンターに設けられた分電盤により行うとしても、目的とする電源位置を分電盤上で探すことはきわめて困難である。特に、分電盤の大きさは前述のようにかなりの大きさであるため、そのように大きな分電盤の前に立って各機能部位の電源の位置を捜すことはきわめて困難である。このようなことから、従来は、分電盤に配設された電源位置を印刷した何枚かのカードを作成してカードケースに入れておき、必要とする機能部位の電源位置をカードで確認してからコントロールセンターの分電盤の前に立って目的の電源位置を捜して電源のオン・オフ操作等を行っている。したがって、予め、分電盤に配設された電源位置を印刷した何枚かのカードを作成しなければならないこと、カード上で電源位置を確認してから実際の分電盤での作業にかかること、等の理由により、作業性はきわめて低いものである。
【０００４】
また、電源位置を探すことは、前述のように予め準備したカードにより行うことができるとしても、目的の電源の状態がどうなっているかの状態表示まではなされておらず、電源状態確認をしないまま実際の分電盤のスイッチ操作や現場作業を行わなければならないものである。
【課題を解決するための手段】
【０００５】
請求項１記載の発明は、発電所全体の発電ユニットの起動・停止等の運転操作や監視を行う中央制御室と、電源等の動作状態を制御するように発電ユニットの設備毎に設けられた複数のコントロールセンターと、発電ユニットに配設された電源ユニットの機能部位の電源のオン・オフを行うスイッチが前記コントロールセンター毎に設けられて前記中央制御室に接続された分電盤と、前記機能部位の名称を入力する機能部位名称入力手段と、前記コントロールセンターで管轄された前記機能部位を前記コントロールセンター毎にバーチャル表示する電源ユニットの機能部位配置表示手段と、前記機能部位名称入力手段により入力された機能部位名称に基づいてその機能部位が属する前記コントロールセンターを呼び出して前記分電盤上で前記機能部位の位置を表示する機能部位位置表示手段と、よりなる発電ユニットの電源位置発見システムである。
【０００６】
請求項２記載の発明は、請求項１記載の発電ユニットの電源位置発見システムにおいて、いずれかの電源ユニットの異常が発生した時にその電源ユニットを備えた機能部位の名称と異常状態とを中央制御室に伝達する異常伝達手段を備えたものである。
【０００７】
請求項３記載の発明は、請求項１又は２記載の発電ユニットの電源位置発見システムにおいて、機能部位位置表示手段に表示された機能部位とこの機能部位が属するコントロールセンターとを分電盤操作者に伝達する伝達手段を設けたものである。
【発明の効果】
【０００８】
請求項１記載の発明においては、機能部位名称入力手段により機能部位の名称を入力すると、機能部位位置表示手段により入力された機能部位名称に基づいてその機能部位が属するコントロールセンターを呼び出してそのコントロールセンターに配置された分電盤上で機能部位の位置を表示させることができ、これにより、発電ユニットに配設された電源ユニットがきわめて多数であったとしても簡単に電源位置を知ることができ、電源異常等の事故が発生した場合などにも迅速に対応することができ、また、予め作業手順が決まっている定期点検の場合などでも作業がし易く能率化を図ることができるものである。
【０００９】
請求項２記載の発明においては、異常伝達手段により、いずれかの電源ユニットの異常が発生した時にその電源ユニットを備えた機能部位の名称と異常状態とを中央制御室に伝達することができるため、その後の対応を中央制御室から指令することができて的確な処理を行うことができる。
【００１０】
請求項３記載の発明においては、伝達手段により機能部位位置表示手段に表示された機能部位とこの機能部位が属するコントロールセンターとを分電盤操作者に伝達するので、人間の記憶に頼ることなく情報伝達を迅速かつ正確に行うことができるものである。
【発明を実施するための最良の形態】
【００１１】
本発明の実施の態様を図面に基づいて説明する。まず、全体的な構成の概略を説明すると、図１に示すように、中央制御室１には、複数個のコントロールセンター２が接続されており、これらのコントロールセンター２は、ボイラー、タービン・発電機、脱硝装置、電気集塵機、脱硫装置等の各種の設備３毎に設けられている。つぎに、各前記コントロールセンター２内には、そのコントロールセンター２が管轄する設備３に対応する分電盤４が設けられているものであり、それぞれの分電盤４の詳細は、図２〜図１２に示す。これらの分電盤４は、その大きさが縦２．５ｍ、横５ｍであり、機能部位の名称５とともに、その名称５が付された箇所は、電源のオン・オフを行うことができるスイッチ６として構成されている。まず、図２〜図５に示すものは、Ａコントロールセンター、Ｂコントロールセンター、Ｃコントロールセンター、Ｄコントロールセンターであり、上方に表示されたものが表面であり、下方に表示されたものが裏面である。また、図６に示すものは、燃料コントロールセンターであり、上方に表示されたものが表面であり、下方に表示されたものが裏面である。図７に示すものは、非常コントロールセンターであり、図８に示すものは、直流コントロールセンターであり、図９に示すものは、直流盤、図１０に示すものは、共通直流盤、図１１に示すものは、取水コントロールセンター、図１２に示すものは、共通コントロールセンターである。これらの分電盤４において、各スイッチ６の部分には、図示しない表示ランプが設けられており、後述するように、いずれかが選択された場合には、点灯表示、または、点滅表示等をしてその位置を明確に表示する。このような表示が、機能部位の位置を表示する機能部位位置表示手段７として認識されるものである。また、必要に応じて、赤又は緑等の色分けにより、該当する電源がオンであるか、オフであるか等の状態表示をも行う。
【００１２】
このような各種の分電盤４のそれぞれのスイッチ６は、現場である設備３の該当箇所にそれぞれ接続されているものであり、そのスイッチ６を操作することにより、機能部位の電源が制御される。また、このような電源の状態は、中央制御室１にも伝送される。
【００１３】
しかして、前記中央制御室１には、前記機能部位の名称を入力する機能部位名称入力手段８と、前記コントロールセンター２で管轄された前記機能部位を前記コントロールセンター２毎にバーチャル表示する電源ユニットの機能部位配置表示手段９とが配設されている。これらの機能部位名称入力手段８と機能部位配置表示手段９は、具体的にはコンピュータの画面表示によるものである。前記機能部位名称入力手段８は、キーボードにより機能部位の名称５を入力すると、その名称５が画面に表示される。例えば、「Ａ−復水器  逆洗弁」という名称５を入力すると、画面にその名称５が表示され、かつ、その後の呼び出し制御その他の制御によりコントロールセンター２の分電盤４に選択信号として送出される。また、設備３において現実の動作不良、例えば、電源不良等が発生した場合には、その情報が機能部位名称入力手段８に画面表示される。この表示部をクリックすることによりその機能部位の呼び出し制御とすることも可能なものである。図１３には、異常発生時の機能部位名称入力手段８の表示の一例が示されているものであり、コンピュータ画面１０に警報一覧（総合）として「海水ポンプ出口弁制御電源断」「検塩装置異常」「排油回収タンク異常」等の異常内容が発生月日、時間とともに表示される。この場合であると、「海水ポンプ出口弁制御電源断」の項目が電源異常であるので、この位置をクリックすることにより、電源異常信号がコントロールセンター２の分電盤４に送られ、海水ポンプ出口弁の電源部分のスイッチ６位置が点滅等で表示状態となる。この情報は、機能部位配置表示手段９にも送られて図１４に示すように、機能部位配置表示手段９のコンピュータ画面１１に機能部位の配管図とともにバーチャル表示される。すなわち、図１４に示すバーチャル画面において、該当する部位が点滅等により位置表示し、かつ、オレンジ色や緑の色により、電源がロックされているか否かの状態表示をも行う。
【００１４】
このような構成において、いま、設備３のいずれかの機能部位の電源異常が発生したものとする。例えば、「海水ポンプ出口弁制御電源断」という事故であれば、その表示が図１３に示すようにコンピュータ画面１０に表示され、オペレータは、この部分をクリックして該当箇所を選択する。これにより、必要とする機能部位が選択されたことになり、その信号は、機能部位配置表示手段９と該当する分電盤４とに送られる。機能部位配置表示手段９においては、前述のように、バーチャル表示で配管図と共にその部位が表示されるため、どのコントロールセンター２でどの機能部位であるかを直ちに認識することができる。これにより、従来、予め印刷された複数枚のカードから該当箇所を選択する作業に比べて飛躍的に迅速に必要箇所を認識することができ、しかも、正確である。
【００１５】
このようにして、該当箇所が認識できたら、該当するコントロールセンター２へ出向き、あるいは、コントロールセンター２のオペレータに伝言し、分電盤４の該当箇所をチェックする。この場合であれば、電源異常であるので、「海水ポンプ出口弁制御電源」のスイッチ６が点滅しており、しかも、異常であることを示すように赤色表示されている。オペレータは、この表示に従って、スイッチ６を操作して「海水ポンプ出口弁制御電源」を落とし、実際の設備３の該当箇所に修理点検を行う。この場合、該当箇所の電源が入っていないので、安全な作業が可能である。修理作業が完了すると、再び、分電盤４のスイッチ６で該当箇所の電源を入れる。この状態は、中央制御室１の機能部位名称入力手段８と機能部位配置表示手段９にも送られ、それらの状態表示も変化する。すなわち、中央制御室１に伝達されるということは、異常伝達手段が構成されていることであり、いずれかの電源ユニットの異常が発生した時にその電源ユニットを備えた機能部位の名称と異常状態とを中央制御室に伝達する異常伝達手段が構成されていることになる。
【００１６】
このような作業は、予め定められた定期的な点検業務においても同様に行われる。そのため、点検箇所の機能部位の名称を入力することにより、どのコントロールセンター２であり、かつ、分電盤４上の該当箇所が簡単に認識できるので、点検箇所の電源をオフとして安全な点検作業を行い、かつ、作業終了時には電源を回復させることも容易である。また。このような作業過程における状況の認識は、中央制御室１ですべて認識できているものである。
【００１７】
なお、前述の実施の態様においては、機能部位名称入力手段８と機能部位配置表示手段９等が中央管理室１に配設されている状態について説明したが、これらの機能部位名称入力手段８と機能部位配置表示手段９はコントロールセンター２にそれぞれ配設するようにしても良い。また、分電盤４の具体的な構造としては、スイッチ６を縦横斜めに配設したものとして説明したが、機能部位配置表示手段９でバーチャル表示したように配管図と共に機能部位を表示した表示手段を採用しても良いものである。
【００１８】
つぎに、前述の例において、中央制御室１の機能部位名称入力手段８と機能部位配置表示手段９により、対象とする機能部位を認識した場合に、コントロールセンター２の分電盤４のオペレータにその部位を伝達するのは、人間の記憶や伝言に頼るものとして説明したが、この伝達手段としては、例えば、携帯電話で直接的に伝達することや、あるいは、機能部位名称入力手段８と機能部位配置表示手段９に接続されたプリンタにより選択された機能部位をハードコピーに印刷して伝達手段とする等の方法も可能である。
【図面の簡単な説明】
【００１９】
【図１】本発明の実施の態様を示す全体の構成概念図である。
【図２】Ａコントロールセンターのスイッチ配置図である。
【図３】Ｂコントロールセンターのスイッチ配置図である。
【図４】Ｃコントロールセンターのスイッチ配置図である。
【図５】Ｄコントロールセンターのスイッチ配置図である。
【図６】燃料コントロールセンターのスイッチ配置図である。
【図７】非常コントロールセンターのスイッチ配置図である。
【図８】直流コントロールセンターのスイッチ配置図である。
【図９】直流盤のスイッチ配置図である。
【図１０】共通直流盤のスイッチ配置図である
【図１１】取水コントロールセンターのスイッチ配置図である。
【図１２】共通コントロールセンターのスイッチ配置図である。
【図１３】機能部位名称入力手段のコンピュータ画面である。
【図１４】機能部位配置表示手段のコンピュータ画面である。
【符号の説明】
【００２０】
１    中央制御室
２    コントロールセンター
３    設備
４    分電盤
７    機能部位位置表示手段
８    機能部位名称入力手段
９    機能部位配置表示手段
【図１】
2007104854.tif 000003
【図２】
2007104854.tif 000004
【図３】
2007104854.tif 000005
【図４】
2007104854.tif 000006
【図５】
2007104854.tif 000007
【図６】
2007104854.tif 000008
【図７】
2007104854.tif 000009
【図８】
2007104854.tif 000010
【図９】
2007104854.tif 000011
【図１０】
2007104854.tif 000012
【図１１】
2007104854.tif 000013
【図１２】
2007104854.tif 000014
【図１３】
2007104854.tif 000015
【図１４】
2007104854.tif 000016